(57)【要約】      （修正有）【課題】熱中症や熱射病等の高温障害を予防できる、タオルに代わるクーラーパッドであって、保水性が高く、水が滴ることがなく、手触りにも優れたクーラーパッドを提供する。【解決手段】クーラーパッド１０は、全体として平面円形をなしており、内部の高吸水シート状素材、外皮のポリエステル織物１２及び縫合糸１３からなっている。高吸水シート状素材は、この実施形態では、頂角が９０゜より小さい（例えば８０゜程度）の４つの同一形状の扇形形状素材１１Ｓからなっており、隣り合う扇形形状素材１１Ｓの間には周方向の隙間１４が形成されている。縫合糸１３は、表裏のポリエステル織物１２内で扇形形状素材１１Ｓが移動しない（ずれない）ように、両者を縫合している。【選択図】図２
0003166764.tif 000002
【実用新案登録請求の範囲】
【請求項１】
ポリアクリル酸ナトリウム塩を主成分とするポリマーを紡糸した高吸水シート状素材の表裏を、ポリエステル織物で覆ったことを特徴とするクーラーパッド。
【請求項２】
請求項１記載のクーラーパッドにおいて、上記高吸水シート状素材は、商品名「ベルオアシス」（登録商標）からなり、ポリエステル織物は、商品名「ナイロン」（登録商標）からなるクーラーパッド。
【請求項３】
請求項１または２記載のクーラーパッドにおいて、巨視的に見て平面円形であるクーラーパッド。
【請求項４】
請求項３記載のクーラーパッドにおいて、上記高吸水シート状素材は、３個以上の扇形形状素材を互いに隙間を持たせて全体として円盤状に配置されており、これら扇形形状素材とその表裏のポリエステル織物とが縫合糸で結合されているクーラーパッド。
【請求項５】
請求項４記載のクーラーパッドにおいて、上記扇形形状素材間の隙間の間に位置するポリエステル織物は、部分的に切断されてスリットを形成しているクーラーパッド。
【考案の詳細な説明】
【技術分野】
【０００１】
本考案は、例えば猛暑の屋外において、帽子の中に入れて頭部を冷やすのに用いて好適なクーラーパッドに関する。
【背景技術】
【０００２】
野外の炎天下におけるスポーツ（特にゴルフ）、農作業、レジャーなどの場面で、小型のタオルに水を含ませて帽子の中に入れ、気化熱で頭部を冷やすことがある。
【考案の概要】
【考案が解決しようとする課題】
【０００３】
しかし、タオルは保水性に限界があるため、多量に水を含ませれば滴ってしまい、少量では頻繁に水分を補給しなければならず、使い勝手が悪い。また、触感（手触り）がよくない。
【０００４】
本考案は従って、熱中症や熱射病等の高温障害を予防できる、タオルに代わるクーラーパッドであって、保水性が高く、水が滴ることがなく、手触りにも優れたクーラーパッドを得ることを目的とする。
【課題を解決するための手段】
【０００５】
本考案は、ポリアクリル酸ナトリウム塩を主成分とするポリマーを紡糸した素材として知られる高吸水材料をポリエステル製のカバー布で覆えば、保水性が高く、水が滴ることがなく、触感にも優れたクーラーパッドを得ることができるという着眼に基づいてなされたものである。
【０００６】
すなわち、本考案のクーラーパッドは、ポリアクリル酸ナトリウム塩を主成分とするポリマーを紡糸した高吸水シート状素材の表裏を、ポリエステル織物で覆ったことを特徴としている。
【０００７】
高吸水シート状素材は、例えば商品名「ベルオアシス」（登録商標、帝人ファイバー株式会社製）を用いることができ、ポリエステル織物は、ナイロン（登録商標、帝人株式会社製）織物を用いることができる。
【０００８】
本考案のクーラーパッドは、その一使用態様では帽子の中に入れて用いるため、巨視的に見て平面円形とすることが好ましい。
【０００９】
またより好ましくは、高吸水シート状素材は、３個以上の扇形形状素材を互いに隙間を持たせて全体として円盤状に配置し、これら扇形形状素材と、その表裏に位置するポリエステル織物を縫合糸で結合する。扇形形状素材の間に隙間を形成することにより、平面的な本クーラーパッドを頭に被せるとき、扇形形状素材間の隙間の間隔が狭まって頭にフィットする。
【００１０】
頭へのフィット性を高めるため、扇形形状素材の隙間の間に位置するポリエステル織物は、部分的に切断する（スリットを形成する）ことがより好ましい。
【考案の効果】
【００１１】
本考案のクーラーパッドは、保水性が高く、水が滴ることがなく、手触りにも優れている。野外の炎天下におけるスポーツ（特にゴルフ）、農作業、レジャーなどの場面で、水を含ませて帽子の中に入れ、気化熱で頭部を冷やすことにより、熱中症や熱射病等の高温障害を予防することができる。
【図面の簡単な説明】
【００１２】
【図１】本考案のクーラーパッドの一実施形態を示す平面図である。
【図２】同別の実施形態を示す平面図である。
【図３】図１、図２のIII-III線に沿う断面図である。
【図４】図２のクーラーパッドの一使用態様を示す斜視図である。
【考案を実施するための形態】
【００１３】
図１−図４は、本考案によるクーラーパッド１０の実施形態を示している。図１のクーラーパッド１０は、全体として平面円形をなしており、内部の高吸水シート状素材１１、外皮のポリエステル織物１２及び縫合糸１３からなっている。高吸水シート状素材１１は、この実施形態では、頂角が９０゜より小さい（例えば８０゜程度）の４つの同一形状の扇形形状素材１１Ｓからなっており、隣り合う扇形形状素材１１Ｓの間には周方向の隙間１４が形成されている。図１の実施形態では、ポリエステル織物１２は隙間１４にも存在しており、図２の実施形態では、隙間１４部分でポリエステル織物１２が除去され、スリット１５が形成されている。縫合糸１３は、図３に示すように、表裏のポリエステル織物１２内で扇形形状素材１１Ｓが移動しない（ずれない）ように、両者を縫合している。図１、図２では、高吸水シート状素材１１（扇形形状素材１１Ｓ）に破線のハッチングを付した。
【００１４】
高吸水シート状素材１１は、例えば商品名「ベルオアシス」（登録商標、帝人ファイバー株式会社製）を用いることができる。「ベルオアシス」は、木綿の約７倍、Ｂ型シリカゲルの約２倍の吸湿能力を有することが知られている。高吸水シート状素材１１の厚さは、吸水量と帽子の中に入れて使用するときの使い勝手を勘案して定める。また、ポリエステル織物１２は、例えばナイロン（登録商標、帝人株式会社製）織物を用いることができる。
【００１５】
図４は、図２のクーラーパッド１０の具体的な一使用態様を示している。高吸水シート状素材１１（扇形形状素材１１Ｓ）に十分吸水させた後、頭Ｈに被せ（あるいは帽子Ｃ内に入れ）、帽子Ｃを被ると、扇形形状素材１１Ｓの隙間１４が狭まって、平面状のクーラーパッド１０が立体形状となり、頭Ｈにフィットする。高吸水シート状素材１１（扇形形状素材１１Ｓ）は非常に高い吸水能を持ち、ポリエステル織物１２は触感がよく、水分の流通を妨げることがないため、炎天下において、気化熱により頭Ｈを冷やすことができる。図２の実施形態は、扇形形状素材１１Ｓ間の隙間にスリット１５が存在するため、より頭Ｈへの形状適応性に優れる。
【００１６】
以上の実施形態では、扇形形状素材１１Ｓは４個としたが、下限は３個、上限は６個程度とするのが実際的である。
【符号の説明】
【００１７】
１０  クーラーパッド
１１  高吸水シート状素材
１１Ｓ  扇形形状素材
１２  ポリエステル織物
１３  縫合糸
１４  隙間
１５  スリット
Ｈ  頭
Ｃ  帽子
【図１】
0003166764.tif 000003
【図２】
0003166764.tif 000004
【図３】
0003166764.tif 000005
【図４】
0003166764.tif 000006
【手続補正書】
【提出日】平成23年1月13日(2011.1.13)
【手続補正１】
【補正対象書類名】明細書
【補正対象項目名】０００７
【補正方法】変更
【補正の内容】
【０００７】
高吸水シート状素材は、例えば商品名「ベルオアシス」（登録商標、帝人ファイバー株式会社製）を用いることができ、ポリエステル織物は、ナイロン織物を用いることができる。
【手続補正２】
【補正対象書類名】明細書
【補正対象項目名】００１４
【補正方法】変更
【補正の内容】
【００１４】
高吸水シート状素材１１は、例えば商品名「ベルオアシス」（登録商標、帝人ファイバー株式会社製）を用いることができる。「ベルオアシス」は、木綿の約７倍、Ｂ型シリカゲルの約２倍の吸湿能力を有することが知られている。高吸水シート状素材１１の厚さは、吸水量と帽子の中に入れて使用するときの使い勝手を勘案して定める。また、ポリエステル織物１２は、例えばナイロン織物を用いることができる。
【手続補正３】
【補正対象書類名】実用新案登録請求の範囲
【補正対象項目名】請求項２
【補正方法】変更
【補正の内容】
【請求項２】
請求項１記載のクーラーパッドにおいて、上記高吸水シート状素材は、商品名「ベルオアシス」（登録商標）からなり、ポリエステル織物は、ナイロンからなるクーラーパッド。